(57)【要約】【課題】  乳幼児用の寝具やチャイルドシート、ベビーカーにおいて乳幼児の背中に当接して支持するのに使用され、乳幼児の背中の温度上昇を抑えて汗をかくのを防止でき、設置スペースも余り必要とせず、簡便に使用できる支持構造体を提供する。【解決手段】  通気性材料で形成され乳幼児１の背中に当接する表面部材１８を有し、表面部材１８の裏面側に内部空間２０が形成され、内部空間２０に連通する空気通路２２、２４、２６が形設された本体部１０と、本体部１０と一体化され、外気を取り入れ空気通路２２、２４、２６を通って内部空間２０へ空気を送給する小型ファン２８が設けられた送風部１２とを備え、本体部１０に、空気を冷却する蓄冷材１６が装着された冷却部１４を設けた。内部空間２０から表面部材１８を通して乳幼児１の背中へ送風する。【選択図】  図２
2006055249.tif 000002
【特許請求の範囲】
【請求項１】
少なくとも人体の背中に当接する部分が通気性材料によって形成された表面部材を有し、その表面部材の裏面側に内部空間が形成されるとともに、その内部空間に連通する空気通路が形設された本体部と、
この本体部と一体化され、外気を取り入れて前記空気通路へ空気を送り込みその空気通路を通って前記内部空間へ空気を送給する送風手段と、
を備え、前記内部空間から前記表面部材を通して人体の背中へ送風することを特徴とする人体の背面側支持構造体。
【請求項２】
前記送風手段によって前記内部空間へ送給される空気を冷却する冷却手段を一体的に備えた請求項１記載の人体の背面側支持構造体。
【請求項３】
前記冷却手段が着脱自在の蓄冷材であり、その蓄冷材を冷却して、前記送風手段の吐出し口から前記内部空間へ至る経路の途中に装着する請求項２記載の人体の背面側支持構造体。
【請求項４】
前記空気通路が前記蓄冷材自体に形成され、前記送風手段から吐出された空気が前記蓄冷材の空気通路を通って前記内部空間へ送給される間に空気が冷却される請求項３記載の背面側支持構造体。
【請求項５】
前記本体部に前記空気通路と共に冷却水流路が形設され、前記冷却水流路に冷却水を流すことにより、前記空気通路を通って前記内部空間へ送給される空気が冷却される請求項２記載の人体の背面側支持構造体。
【請求項６】
前記本体部の表面部材に当接する人体の背中の温度を測定する測温手段を備え、その測温手段によって測定された温度を表示する温度表示手段をさらに備えた請求項１ないし請求項５のいずれかに記載の人体の背面側支持構造体。
【請求項７】
前記本体部の表面部材に当接する人体の背中の温度を測定する測温手段を備え、その測温手段による測定結果に基づいて前記送風手段の駆動を制御する制御手段をさらに備えた請求項１ないし請求項５のいずれかに記載の人体の背面側支持構造体。
【請求項８】
前記本体部の表面部材に当接する人体の背中の温度を測定する測温手段を備え、その測温手段による測定結果を、本体部から離れた場所に居る第三者に通知する通信手段をさらに備えた請求項１ないし請求項５のいずれかに記載の人体の背面側支持構造体。
【発明の詳細な説明】
【技術分野】
【０００１】
この発明は、乳幼児用の寝具、チャイルドシート、ベビーカー等、寝たきりの病人用の寝具などに装着しあるいは一体に組み込んで使用され、乳幼児や病人などの背中に当接して支持する人体の背面側支持構造体に関する。
【背景技術】
【０００２】
寝具上に寝かされた乳幼児や寝たきりの病人などは、寝返りを打つことができないために、寝具表面に密接したままとなっている背中の温度が上昇して汗をかきやすく、不快さを感じるばかりでなく、特に夏場などにおいては脱水症状や床ずれを起こす原因にもなる。また、チャイルドシートやベビーカーに寝かされた乳幼児は、身体の動きが制約されるために、シートバック（背当て部分）に接した背中の温度が上昇して汗をかきやすい。そして、汗をかいたままエアコン等によって身体が冷やされると、風邪をひくことにもなる。
【０００３】
上記したような問題を解消するために、空気を圧送するエアーポンプ、エアーの流通路が設けられエアーの内部流通が可能なマットレス、および、マットレスの上面に敷かれる通風用上敷を備えた寝具や、空気を圧送するエアーポンプ、および、このエアーポンプにより圧送されたエアーを取り入れて上面から吹き出す通風布袋を備えたパッドが考案されており、また、それらの寝具やパッドに温度調節手段を設けて冷風を流すようにする提案もなされている（例えば、特許文献１参照。）。また、背面部、側面部および底面部を構成するバケット型の表皮にネットを使用し、通気性が確保されるようにして幼児を蒸れから保護するようにしたチャイルドシートなども考案されている（例えば、特許文献２参照。）。
【特許文献１】特開平１０−１６５２５９４号公報（第３−５頁、図１、図３）
【特許文献２】特開２００１−１０５９４２号公報（第４頁、図１）
【発明の開示】
【発明が解決しようとする課題】
【０００４】
特許文献１に記載されたように、エアーポンプをマットレスや通風布袋とは別置きにした寝具やパッドでは、それを設置するためのスペースを必要とし、また、マットレスや通風布袋とエアーポンプとをパイプやホースで繋いだり外したりする必要があって、取扱いが面倒である。また、寝具やパッドに温度調節手段を設けて冷風を流すこともできるが、そのためには別にエアコン等の空調設備が必要であり、さらに空調機の空気吹出し口とエアーポンプとをパイプやホースで接続する必要もあり、手軽にマットレスや通風布袋に冷風を流すことができる、といったものではない。
【０００５】
特許文献２に記載されているように、チャイルドシートやベビーカーなどのシートを通気性の良い素材で形成することも行われているが、チャイルドシートやベビーカーなどのシートバックに接した乳幼児の背中の温度は、周囲の雰囲気による影響を受け、周囲の温度が高く無風の状態であれば、やはり背中の温度が上昇して汗をかきやすくなる。また、チャイルドシートのようにシートバックの背後に空間が無い状況で使用されるものでは、やはり背中の温度が上昇しやすく、背中の温度が一度上昇すると、チャイルドシートから乳幼児を降ろさない限り中々背中の温度は下がらないが、車の運転中などではそれもできない、といった問題点がある。
【０００６】
この発明は、以上のような事情に鑑みてなされたものであり、乳幼児用の寝具、チャイルドシート、ベビーカー等、寝たきりの病人用の寝具などにおいて使用され、乳幼児や病人などの背中に当接して支持する人体の背面側支持構造体であって、乳幼児や病人などの背中の温度上昇を抑えて汗をかくのを防止することができ、設置スペースも余り必要とせず、簡便に使用することができる支持構造体を提供することを目的とする。
【課題を解決するための手段】
【０００７】
請求項１に係る発明は、乳幼児や病人などの背中に当接して支持する人体の背面側支持構造体において、少なくとも人体の背中に当接する部分が通気性材料によって形成された表面部材を有し、その表面部材の裏面側に内部空間が形成されるとともに、その内部空間に連通する空気通路が形設された本体部と、この本体部と一体化され、外気を取り入れて前記空気通路へ空気を送り込みその空気通路を通って前記内部空間へ空気を送給する送風手段とを備え、前記内部空間から前記表面部材を通して人体の背中へ送風することを特徴とする。
【０００８】
請求項２に係る発明は、請求項１記載の支持構造体において、前記送風手段によって前記内部空間へ送給される空気を冷却する冷却手段を一体的に備えたことを特徴とする。
【０００９】
請求項３に係る発明は、請求項２記載の支持構造体において、前記冷却手段が着脱自在の蓄冷材であり、その蓄冷材を冷却して、前記送風手段の吐出し口から前記内部空間へ至る経路の途中に装着することを特徴とする。
【００１０】
請求項４に係る発明は、請求項３記載の支持構造体において、前記空気通路が前記蓄冷材自体に形成され、前記送風手段から吐出された空気が前記蓄冷材の空気通路を通って前記内部空間へ送給される間に空気が冷却されることを特徴とする。
【００１１】
請求項５に係る発明は、請求項２記載の支持構造体において、前記本体部に前記空気通路と共に冷却水流路が形設され、前記冷却水流路に冷却水を流すことにより、前記空気通路を通って前記内部空間へ送給される空気が冷却されることを特徴とする。
【００１２】
請求項６に係る発明は、請求項１ないし請求項５のいずれかに記載の支持構造体において、前記本体部の表面部材に当接する人体の背中の温度を測定する測温手段を備え、その測温手段によって測定された温度を表示する温度表示手段をさらに備えたことを特徴とする。
【００１３】
請求項７に係る発明は、請求項１ないし請求項５のいずれかに記載の支持構造体において、前記本体部の表面部材に当接する人体の背中の温度を測定する測温手段を備え、その測温手段による測定結果に基づいて前記送風手段の駆動を制御する制御手段をさらに備えたことを特徴とする。
【００１４】
請求項８に係る発明は、請求項１ないし請求項５のいずれかに記載の支持構造体において、前記本体部の表面部材に当接する人体の背中の温度を測定する測温手段を備え、その測温手段による測定結果を、本体部から離れた場所に居る第三者に通知する通信手段をさらに備えたことを特徴とする。
【発明の効果】
【００１５】
請求項１に係る発明の人体の背面側支持構造体においては、送風手段により外気が取り入れられて本体部の空気通路へ空気が送り込まれ、空気通路を通って内部空間へ空気が送給される。そして、本体部の内部空間から、通気性材料によって形成された表面部材を通し、表面部材に当接した人体の背中へ送風される。したがって、この支持構造体を乳幼児用の寝具、チャイルドシート、ベビーカー等、寝たきりの病人用の寝具などに装着しあるいは一体に組み込んで使用すると、乳幼児や病人などの背中の温度上昇を抑えて汗をかくのを防止することができる。そして、この支持構造体は、本体部と送風手段とが一体化されているので、設置スペースを余り必要とせず、また、送風手段を駆動させるだけで、簡便に使用することができる。
【００１６】
請求項２に係る発明の支持構造体では、冷却手段により、本体部の内部空間へ送給される空気が冷却され、その冷却手段が一体的に備わっているので、手軽に冷風を送給することができる。
【００１７】
請求項３に係る発明の支持構造体では、蓄冷材を取り外して冷凍庫等で冷却し、冷却後の蓄冷材を送風手段の吐出し口から内部空間へ至る経路の途中に装着することにより、本体部の内部空間へ送給される空気が冷却され、手軽に冷風を送給することができる。
【００１８】
請求項４に係る発明の支持構造体では、蓄冷材を取り外して冷凍庫等で冷却し、冷却後の蓄冷材を装着すると、送風手段から吐出された空気が蓄冷材の空気通路を通って内部空間へ送給される間に空気が冷却され、手軽に冷風を送給することができる。そして、蓄冷材自体に空気通路が形成されているので、本体部を小形化することができる。
【００１９】
請求項５に係る発明の支持構造体では、本体部に形設された冷却水流路に冷却水を流すことにより、本体部に形設された空気通路を通って内部空間へ送給される空気が冷却され、手軽に冷風を送給することができる。
【００２０】
請求項６に係る発明の支持構造体では、測温手段により、本体部の表面部材に当接する人体の背中の温度が測定され、その測温手段によって測定された温度が温度表示手段に表示されるので、乳幼児等のように第三者と意思の疎通を行うことができない者であっても、その背中の温度を第三者が確認することができる。このため、乳幼児等の背中の温度が高くなり過ぎたり低くなり過ぎたりしていることに気付かずにそのまま見過ごして、乳幼児等の健康が害される、といったことが起こるのを避けることができる。
【００２１】
請求項７に係る発明の支持構造体では、測温手段により、本体部の表面部材に当接する人体の背中の温度が測定され、その測温手段による測定結果に基づいて制御手段により送風手段の駆動が制御されるので、背中の温度の状態に応じて背中への送風を適切に調整することができる。このため、乳幼児や病人の背中を冷やし過ぎるといった事態を避けることができる。
【００２２】
請求項８に係る発明の支持構造体では、測温手段により、本体部の表面部材に当接する人体の背中の温度が測定され、その測温手段による測定結果が通信手段により、本体部から離れた場所に居る第三者に通知されるので、例えば病院や保育所などのように健康管理すべき対象者の数が多い施設であっても、その管理を比較的簡易に行うことが可能になる。
【発明を実施するための最良の形態】
【００２３】
以下、この発明の最良の実施形態について図面を参照しながら説明する。
図１ないし図３は、この発明の実施形態の１例を示し、図１は、人体の背面側支持構造体の一部を破断しまた一部を分離した状態で示す斜視図であり、図２は、その縦断面図であり、図３は、この支持構造体の制御システムを示すブロック図である。この支持構造体は、乳幼児用の寝具、チャイルドシート、ベビーカー等、あるいは、寝たきりの病人用の寝具などに装着され、あるいは、それらに一体に組み込まれて使用され、乳幼児や病人などの背中に当接して支持するためのものである。
【００２４】
この支持構造体は、人体、例えば仰臥姿勢あるいは着座姿勢の乳幼児１の背中に当接して乳幼児を支持する本体部１０と、この本体部１０と一体化された左・右一対の送風部１２、１２とを備えて構成されている。本体部１０の左側および右側には、両側面が開口した冷却部１４がそれぞれ設けられており、冷却部１４の内部には、着脱自在に複数個の蓄冷材１６が装着されている。蓄冷材１６としては、一般に市販されているように冷凍庫等で凝固させてその融解潜熱により冷却するものを繰り返し使用すればよく、また、家庭用冷蔵庫が作られた氷を容器に詰めたものなどであってもよい。
【００２５】
本体部１０の、乳幼児１の背中に当接する表面部材１８は、通気性材料、例えば帯状の竹材、プラスチック材、木材、布材などを粗い目で編んだものなどによって形成されている。本体部１０の内部には、表面部材１８の裏面側に内部空間２０が形成されており、また、その内部空間２０に連通する多数の空気通路２２、２４が形設されている。また、本体部１０の内部には、冷却部１４の内部空間に連通する空気通路２６が形設されており、空気通路２２の多くは、空気通路２６に連通し、一部の空気通路２４は、冷却部１４の内部空間に連通している。
【００２６】
送風部１２には、小型ファン２８が装着されており、この小型ファン２８により、外気が取り入れられ、冷却部１４を通過し空気通路２６および空気通路２２、２４を通って内部空間２０へ空気が送給されるようになっている。小型ファン２８のモータは、家庭用電源、自動車用バッテリ、太陽電池等によって駆動される。
【００２７】
本体部１０の表面部材１８には、複数個、図示例では左・右に２個ずつ、合計で４個の温度センサ３０ａ、３０ｂ；３２ａ、３２ｂが取着されている。温度センサ３０ａ、３０ｂ；３２ａ、３２ｂは、この例では乳幼児の背中に接触して背中の温度を直接的に側定するものであるが、背中に非接触で測温する放射温度計などであってもよい。また、本体部１０の左・右両端部には、温度センサ３０ａ、３０ｂ；３２ａ、３２ｂによって測定された乳幼児の背中の温度を表示する温度表示器３４、３６が取着されている。そして、温度センサ３０ａ、３０ｂによってそれぞれ測定された背中の左側半分の各温度は、左側の温度表示器３４にそれぞれ表示され、温度センサ３２ａ、３２ｂによってそれぞれ測定された背中の右側半分の各温度は、右側の温度表示器３６にそれぞれ表示されるようになっている。
【００２８】
また、この支持構造体は、温度センサ３０ａ、３０ｂ；３２ａ、３２ｂによる測定結果に基づいて送風部１２の小型ファン２８の駆動を制御する制御回路を備えている。すなわち、図３に示すように、温度センサ３０ａ、３０ｂ；３２ａ、３２ｂから出力される温度信号が主制御部３８へ送られ、主制御部３８からは、温度センサ３０ａ、３０ｂ；３２ａ、３２ｂによって測定された温度を示す温度表示信号が左・右の温度表示器３４、３６へそれぞれ送られるほか、左・右の小型ファン２８の駆動部４０、４２へ制御信号がそれぞれ送られるように構成されている。また、主制御部３８には、入出力部４４が接続されており、この入出力部４４により、小型ファン２８を駆動させる上限温度および小型ファン２８の駆動を停止させる下限温度をそれぞれ設定することができるようになっており、入出力部４４によって設定された各温度は、メモリ部４６にそれぞれ記憶される。そして、主制御部３８においては、温度センサ３０ａ、３０ｂ；３２ａ、３２ｂから送られてくる温度信号が示す測定温度が設定温度と比較され、測定温度が上限温度を上回ったときに駆動部４０、４２へ制御信号を出力して小型ファン２８を駆動させるようにする。また、小型ファン２８が駆動している状態において、測定温度が下限温度を下回ったときに駆動部４０、４２へ制御信号を出力して小型ファン２８の駆動を停止させるようにする。このような小型ファン２８の駆動・停止の制御は、この実施形態では背中の左半部と右半部とで別々に行われる。
【００２９】
上記したように構成された支持構造体を乳幼児用の寝具、チャイルドシート、ベビーカーなどに装着しあるいは一体に組み込んで使用すると、本体部１０の表面部材１８に当接する乳幼児１の背中の温度が温度センサ３０ａ、３０ｂ；３２ａ、３２ｂによって測定され、その測定温度が温度表示器３４、３６に表示される。このため、第三者に気持ちを伝えることができない乳幼児に対しても、母親等は、温度表示器３４、３６に表示された測定温度の数値を確認することにより、乳幼児の背中の状態を把握しておくことができる。
【００３０】
また、主制御部３８から送風部１２の小型ファン２８の駆動部４０、４２へ、温度センサ３０ａ、３０ｂ；３２ａ、３２ｂによる測定結果に基づいて制御信号が送られて、小型ファン２８の駆動および停止動作が制御される。そして、乳幼児１の背中の温度が高いときには小型ファン２８が駆動され、小型ファン２８によって外気が取り入れられる。本体部１０内に取り入れられた空気は、蓄冷材１６が装着された冷却部１４を通過する間に冷却され、冷却された空気が、空気通路２６および空気通路２２、２４を通って内部空間２０へ送給される。そして、冷却された空気が、本体部１０の内部空間２０から表面部材１８を通して乳幼児１の背中へ供給されることにより、乳幼児１の背中の温度上昇が抑えられて汗をかくのが防止される。一方、乳幼児１の背中への送風により、乳幼児１の背中の温度が所定温度以下に低下したときには、主制御部３８から駆動部４０、４２への制御信号により、小型ファン２８の駆動が停止させられ、乳幼児１の背中への送風が中止される。このため、乳幼児１の背中を冷やし過ぎるといった事態が避けられる。
【００３１】
さらに、この支持構造体は、通信制御部４８を備えており、通信制御部４８がネットワーク５０を介して管理装置５２の通信制御部５４に繋がっている。ネットワーク５０としては、固定電話網、携帯電話網等の公衆交換電話網（ＰＳＴＮ）、ＩＰ等によるコンピュータネットワークなどを利用すればよい。また、通信制御部４８とネットワーク５０との物理的な接続形態は、有線であっても無線であってもよい。このようなシステムにより、温度センサ３０ａ、３０ｂ；３２ａ、３２ｂによって測定された乳幼児１の背中の温度が、支持構造体から離れた場所に居る第三者に通知されるようになっている。管理装置５２は、通信制御部５４のほか、主制御部５６、認証部５８、入出力部６０、端末情報部６２などを備えている。なお、図３には、１つの支持構造体しか示していないが、複数の支持構造体の通信制御部４８がネットワークを介して管理装置５２に繋がっており、複数の乳幼児の健康管理を集中的に行えるようになっている。これにより、例えば病院や保育所などのように健康管理すべき対象者の数が多い施設においては、その管理を比較的簡易に行うことが可能になる。
【００３２】
図４は、この発明の別の実施形態を示す人体の背面側支持構造体の縦断面図である。この図４において、図２で使用した符号と同一の符号を付したものは、図２に関して説明した部材と同一の機能および作用を有する同一の部材であり、それらについての重複する説明を省略する。
【００３３】
図４に示した支持構造体は、その本体部６４の内部に、空気通路２６の周囲を取り囲むように冷却水流路６６が形設されており、冷却水流路６６に冷却水供給路６８および冷却水排出路７０がそれぞれ連通接続している。このような構成を有する支持構造体においては、本体部６４に形設された冷却水流路６６に冷却水を流すことにより、送風部１２の小型ファン２２によって内部空間２０へ送給される空気が空気通路２６を通過する間に冷却され、冷却された空気が内部空間２０から表面部材１８を通して乳幼児１の背中へ供給されることとなる。この実施形態のように、本体部６４に冷却水流路６６を形設して冷却水により空気を冷却できるようにしたときは、蓄冷材１６が装着された冷却部１４を別に設けるようにしなくてもよい。
【００３４】
図５は、この発明のさらに別の実施形態を示す人体の背面側支持構造体の縦断面図である。この支持構造体は、乳幼児１の背中に当接して乳幼児を支持する本体部７２と、この本体部７２に一体的に組み込まれた送風部７４とを備えて構成され、本体部７２が、中央ブロック７６と、その左側および右側にそれぞれ設けられた冷却部７８、７８と、通気性材料によって形成され乳幼児１の背中に当接する表面部材８０とから構成されている。
【００３５】
本体部１０の中央ブロック７６には、表面部材８０の裏面側に内部空間８２が形成されており、また、背面側に空気通路８４が形成されている。そして、内部空間８２と空気通路８４とは、中央ブロック７６の中央に固設された筒状部材８６を介して流路連絡しており、筒状部材８６の内方に、送風部７４を構成する小型ファン８８が配設されている。筒状部材８６の、内部空間８２側の端面は、表面部材８０の裏面に近接した位置に開口している。
【００３６】
冷却部７８は、蓄冷材９０によって構成され、蓄冷材９０自体に空気通路９２が形成されている。そして、蓄冷材９０に形成された空気通路９２は、中央ブロック７６の内部空間８２および空気通路８４にそれぞれ連通し、内部空間８２と空気通路８４とが蓄冷材９０の空気通路９２を通して流路連絡している。また、冷却部を構成する蓄冷材９０は、中央ブロック７６とコネクタ部９４によって係脱自在に連接することができ、また、蓄冷材９０と表面部材８０とは、係止具９６によって係脱自在に連接することができるように構成されている。そして、蓄冷材９０を中央ブロック７６および表面部材８０から離脱させることにより、蓄冷材９０を冷凍庫等で冷却することができ、冷却された蓄冷材９０を中央ブロック７６および表面部材８０に装着することができるようになっている。
【００３７】
図５に示した構成を備えた支持構造体においては、小型ファン８８が駆動されると、表面部材８０を通して筒状部材８６内へ外気が吸い込まれ、吸い込まれた空気は、筒状部材８６内を通り空気通路８４を通って、冷却部７８７を構成する蓄冷材９０に形成された空気通路９２内へ流れ込む。蓄冷材９０の空気通路９２内へ送り込まれた空気は、冷却状態の蓄冷材９０の空気通路９２内を流れる間に冷却され、冷却された空気が内部空間８２へ送給される。そして、冷却された空気が、内部空間８２から表面部材８０を通して乳幼児１の背中側へ供給されることにより、乳幼児１の背中の温度上昇が抑えられて汗をかくのが防止される。また、蓄冷材９０による冷却効果が薄れたときは、蓄冷材９０を中央ブロック７６および表面部材８０から離脱させて冷凍庫等で冷却した後、再び蓄冷材９０を中央ブロック７６および表面部材８０に装着するようにすればよい。
【００３８】
なお、人体の背面側支持構造体の外形、本体部１０、６４、７２や表面部材１８、８０等の形成材料や形成方法、空気通路２２、２４、２６や冷却水流路６６の形成態様などは、上記した実施形態に示したものに限定されない。また、温度センサの個数や取付位置なども、特に限定されない。
【図面の簡単な説明】
【００３９】
【図１】この発明の実施形態の１例を示し、人体の背面側支持構造体の一部を破断しまた一部を分離した状態で示す斜視図である。
【図２】図１に示した支持構造体の縦断面図である。
【図３】図１に示した支持構造体の制御システムを示すブロック図である。
【図４】この発明の別の実施形態を示す人体の背面側支持構造体の縦断面図である。
【図５】この発明のさらに別の実施形態を示す人体の背面側支持構造体の縦断面図である。
【符号の説明】
【００４０】
１  乳幼児
１０、６４、７２  本体部
１２、７４  送風部
１４、７８  冷却部
１６、９０  蓄冷材
１８、８０  表面部材
２０、８２  内部空間
２２、２４、２６、８４、９２  空気通路
２８、８８  小型ファン
３０ａ、３０ｂ、３２ａ、３２ｂ  温度センサ
３４、３６  温度表示器
３８  主制御部
４０、４２  小型ファンの駆動部
４４  入出力部
４６  メモリ部
４８  通信制御部
５０  ネットワーク
５２  管理装置
５４  管理装置の通信制御部
６６  冷却水流路
６８  冷却水供給路
７０  冷却水排出路
８６  筒状部材
９４  コネクタ部
９６  係止具
【図１】
2006055249.tif 000003
【図２】
2006055249.tif 000004
【図３】
2006055249.tif 000005
【図４】
2006055249.tif 000006
【図５】
2006055249.tif 000007